(57)【特許請求の範囲】
【請求項１】
エレクトリックデバイスを制御するコンテンツ駆動入力装置において、前記入力装置は、初期化段階を通して、一或いは多数の被制御エレクトリックデバイスの各１個の被制御エレクトリックデバイスの一或いは多数の付属制御コマンドを受け取り、整理/統合を行い、
前記入力装置は、表示部品、入力ユニット、通信モジュール、処理部品を備え、
前記通信モジュールは、一或いは多数の被制御エレクトリックデバイスの１個の被制御エレクトリックデバイスが伝送するコンテンツインフォメーションを受け取り、
前記処理部品は、前記コンテンツインフォメーションを解析し、前記コンテンツインフォメーションのタイプ、執行を希望する制御コマンド、対応する必要がある被制御エレクトリックデバイス、ユーザーはどのように操作するかの判断を含み、前記入力ユニット内に含む一或いは多数の入力部品の形態を確認後、対応するユーザーインターフェース、及び対応する操作方式を決定し、表示ユニット上に表示し、ユーザーが、前記操作方式に基づき、前記コンテンツインフォメーションが対応する一或いは多数の制御コマンドのオプションを選択後、前記処理部品は、前記コンテンツインフォメーションが対応する一或いは多数の制御コマンドに基づき、前記通信モジュールを通して、対応するよう指定された被制御エレクトリックデバイスに対して、一或いは多数の対応する制御メッセージを発信し、前記対応するよう指定された被制御エレクトリックデバイスの各被制御エレクトリックデバイスに、前記一或いは多数の対応する制御メッセージに基づき、対応する動作を行うよう要求することを特徴とするエレクトリックデバイスを制御するコンテンツ駆動入力装置。
【請求項２】
前記入力ユニットは、ボタン入力、タッチ入力、モーションキャプチャー入力、映像入力、音声入力、前記の一項或いは多数項の形態の入力部品により組成されることを特徴とする請求項１に記載のエレクトリックデバイスを制御するコンテンツ駆動入力装置。
【請求項３】
前記コンテンツインフォメーションは、主要被制御装置により伝送されるコンテンツインフォメーションで、
前記コンテンツインフォメーションが対応する一或いは多数の制御コマンドは、前記主要被制御装置と一或いは多数の付属被制御装置により伝送される付属制御コマンドにより組成されることを特徴とする請求項１に記載のエレクトリックデバイスを制御するコンテンツ駆動入力装置。
【請求項４】
前記処理部品は、解析したコンテンツインフォメーション、前記コンテンツインフォメーションが対応する一或いは多数の制御コマンド、及び決定した対応する前記操作方式を結合し、前記ユーザーインターフェース上に表示し、
これにより、前記対応を指定する被制御エレクトリックデバイスに対して、前記コンテンツインフォメーションが対応する一或いは多数の制御指令の操作を、いかにして行うかを、ユーザーに指示、或いは告知することを特徴とする請求項１に記載のエレクトリックデバイスを制御するコンテンツ駆動入力装置。
【請求項５】
前記コンテンツインフォメーションは、コンテンツ制作会社、或いはサービスプロバイダーが提供するインフォメーション、或いは第三者が、異なる形態のコンテンツに対して書き込んだプラグインインフォメーション、或いは解釈したデータであることを特徴とする請求項１に記載のエレクトリックデバイスを制御するコンテンツ駆動入力装置。
【請求項６】
前記通信モジュールは、前記処理部品と前記主要被制御装置と前記一或いは多数の付属被制御装置との間の通信ルートとして配置され、
前記主要被制御装置と前記一或いは多数の付属被制御装置が伝送するコンテンツインフォメーションと付属制御コマンドを、前記処理部品に送り、
前記一或いは多数の対応する制御メッセージを、前記対応を指定された被制御エレクトリックデバイスに発信することを特徴とする請求項３に記載のエレクトリックデバイスを制御するコンテンツ駆動入力装置。
【請求項７】
前記操作方式は、前記処理部品が受け取った前記コンテンツインフォメーション、及び前記コンテンツインフォメーションを解析後に指定する前記コンテンツインフォメーションが対応する一或いは多数の制御コマンド、及び前記入力ユニット内に含む前記一或いは多数の入力部品の形態に基づき、
前記表示部品そのものの設計に合わせて、決定することを特徴とする請求項２に記載のエレクトリックデバイスを制御するコンテンツ駆動入力装置。
【請求項８】
エレクトリックデバイスを制御するコンテンツ駆動入力方法は、初期段階を含み、
前記初期段階において、コンテンツ駆動入力装置は、初期化の操作を行い、一或いは多数の被制御エレクトリックデバイスの各被制御エレクトリックデバイスの一或いは多数の付属制御コマンドを取得し、
前記コンテンツ駆動入力装置が、前記一或いは多数の被制御エレクトリックデバイスの内の１個の被制御エレクトリックデバイスが伝送するコンテンツインフォメーションを受け取ると、制御段階に進み、前記コンテンツインフォメーションを解析し、この解析は、前記コンテンツインフォメーションのタイプ、執行を希望する一或いは多数の制御コマンド、対応する必要がある前記一或いは多数の被制御エレクトリックデバイス、ユーザーはどのように操作するかの判断を含み、前記コンテンツインフォメーションが対応する前記一或いは多数の制御コマンドのオプションを、ユーザーが選択、或いは執行後、前記一或いは多数の被制御エレクトリックデバイス中の対応させる必要がある被制御エレクトリックデバイスに対して、一或いは多数の対応する制御メッセージを発信することを特徴とするエレクトリックデバイスを制御するコンテンツ駆動入力方法。
【請求項９】
前記コンテンツ駆動入力装置が受け取った被制御エレクトリックデバイスが伝送するコンテンツインフォメーションは、主要被制御装置により伝送されたコンテンツインフォメーションで、
前記一或いは多数のコンテンツインフォメーションが対応する制御コマンドは、前記主要被制御装置と、一或いは多数の付属被制御装置により伝送する付属制御コマンドにより組成されることを特徴とする請求項８に記載のエレクトリックデバイスを制御するコンテンツ駆動入力方法。
【請求項１０】
前記エレクトリックデバイスを制御するコンテンツ駆動入力方法は、通信モジュールを通して、前記主要被制御装置と前記一或いは多数の付属被制御装置のコンテンツインフォメーションと付属制御コマンドを、前記コンテンツ駆動入力装置に伝送し、
前記対応を必要とする被制御エレクトリックデバイスに対して、前記一或いは多数の対応する制御メッセージを発信することを特徴とする請求項９に記載のエレクトリックデバイスを制御するコンテンツ駆動入力方法。
【請求項１１】
前記エレクトリックデバイスを制御するコンテンツ駆動入力方法はさらに、インターネットを通して、前記コンテンツインフォメーションを、他の関連するコンテンツインフォメーション、或いはサービスにリンクさせ、
一或いは多数の種類の延伸機能を発生することを特徴とする請求項８に記載のエレクトリックデバイスを制御するコンテンツ駆動入力方法。
【請求項１２】
前記ユーザーは、前記ユーザーインターフェースを通して、前記コンテンツインフォメーションが対応する一或いは多数の制御コマンドのオプションを選択、或いは執行することを特徴とする請求項１１に記載のエレクトリックデバイスを制御するコンテンツ駆動入力方法。
【請求項１３】
前記エレクトリックデバイスを制御するコンテンツ駆動入力方法は、前記コンテンツインフォメーションを解析後、さらに対応する操作方式を決定し、
ユーザーに、対応させる必要がある被制御エレクトリックデバイスに対して、前記コンテンツインフォメーションが対応する一或いは多数の制御コマンドの操作を、いかにして行うかを指示、或いは告知することを特徴とする請求項８に記載のエレクトリックデバイスを制御するコンテンツ駆動入力方法。
【請求項１４】
前記対応させる必要がある被制御エレクトリックデバイスは、前記一或いは多数の対応する制御メッセージを受け取った後、前記対応させる必要がある被制御エレクトリックデバイスの各被制御エレクトリックデバイスは、前記一或いは多数の対応する制御メッセージ上の要求に基づき、対応する動作を行うことを特徴とする請求項１０に記載のエレクトリックデバイスを制御するコンテンツ駆動入力方法。
【請求項１５】
前記コンテンツインフォメーションは、コンテンツ制作会社、或いはサービスプロバイダーが提供するインフォメーション、或いは第三者が、異なる形態のコンテンツに対して書き込んだプラグインインフォメーション、或いは解釈したデータであることを特徴とする請求項１４に記載のエレクトリックデバイスを制御するコンテンツ駆動入力方法。
【発明の詳細な説明】
【技術分野】
【０００１】
本発明はエレクトリックデバイスを制御するコンテンツ駆動入力装置とその方法に関する。
【背景技術】
【０００２】
組込み式システム(Android、MeeGoなど)関連技術の爆発的な発展に従い、各種ハイエンドスマートフォンが次々に発売されている。さらに、各種電気製品も、組込み式システムが続々と導入され、Wi-Fi、ブルートゥース(Bluetooth（登録商標）)などの各種インターネット接続メカニズムに対応し、充実した機能を備えるスマート型電気製品に変化している。これにより、より多くの応用とサービスを提供し、スマート型ホームデジタルの形成が期待される。現在、スマート型電気製品の応用は主に、インターネットを媒介として各種コマンドを伝達し、リモートエンドから各電気製品をコントロールし、或いは各電気製品のインターネット接続機能を通して、特定の機能を執行することで、付属の付加価値を獲得するものである。従来の電気製品では、その制御は、その電気製品が提供する機能を、ユーザーが認知することにより操作される。テレビを例とすれば、それが制御する機能は、数字によるチャンネル選択、隣り合うチャンネルへの移動、音量の調整などである。ユーザーは、リモコンを用いて、興味のある番組を選択し、音量を調整する。このタイプの操作方式は、電気製品の付属制御コマンド(appliance-dependent command)に限られ、電気製品が現在再生するコンテンツインフォメーションとは関係がない。
【０００３】
ある技術は、モーションセンサー(motion sensor)とタッチパネル(touch panel)を入力インターフェースとし、この入力インターフェースを、リモコンの入力装置中に統合し、しかもモーションセンサーとタッチパネルが探知する各種ジェスチャー(gesture)を定義し、リモコン入力方式とする。もう一つのメディアイベント(media event)を制御する技術は、メディア情報により、対応する制御メッセージを提供し、これにより入力装置は、メディア情報と対応する関連制御メッセージに基づき、関連操作を行う。その内、その制御コマンド信号は、該メディア情報の制御にのみ用いられ、信号をメディア情報が存在するキャリアに発信するだけである。多数の他の装置の操作に用いる多数の制御装置/システムに関する特許技術は、この多数の他の装置中の部品を含む。
【０００４】
この技術は、該制御装置と他の装置とのコミュニケーションの方法も提供する。該制御装置/システムは、多数の装置を同時に操作することで、ある種の状況を達成する能力がある。これら技術は主に、装置制御に用いられ、これら被制御装置のコンテンツインフォメーションとは関連がない。
【０００５】
例えば、図１に示す技術は、マスターデバイス(master device)１０２を通して、周辺装置１１０の状態情報を掌握し、しかも表示装置(display device)１０４上にユーザーの制御装置(controlling device)１００上の入力部品とそれが対応する情報を指示する。制御装置(controlling device)１００上から、制御すべき周辺装置を選定後、マスターデバイス１０２は、状態情報を、制御装置１００に伝送する。これにより、制御装置１００は、周辺装置１１０を制御することができる。また別の技術は、ユニバーサルリモコンとその使用方法に関するものである。その内、リモコン操作される装置は、操作方法とユーザーインターフェースを個別に保存する。ユニバーサルリモコンは、これら操作の情報を受け取り、ユーザーが操作できるよう、ユーザーインターフェースに表示する。ここでの操作は、DVDプレーヤーの再生、或いは停止など、被制御装置の付属制御コマンドに限られる。
【０００６】
さらに、制御インターフェースを自動的に発生させ、装置制御を執行するHuddleシステムがある。Huddleシステムと連接する装置は、自己の機能情報を入力装置に伝送する。ユーザーは、入力装置上に、これら装置がどのように連接されれば、入力装置は、システムと連接するすべての装置を制御することができる制御インターフェースを、自動的に生じるかを設定する。この制御インターフェースは主に、システムと連接する装置の付属制御コマンドを執行する。すなわち、制御インターフェースは、個別装置の付属制御コマンドの集合で、制御する装置は、ユーザーにより設定する。
【０００７】
スマート型電気製品のブームにおいて、入力装置は、非常に大きな改善の余地を残している。Google TVの例では、Logitechを結合させ、リモコンに全く新しい容貌を創りあげた。しかし、既存のスマート家電の操作方式は、家電付属の制御コマンドにしばしば限定される。これらスマート家電は、オペレーションシステムを備えたことで、もともとの家電に付属の制御コマンドの他に、さらに進んだ応用では、既存のフレームを脱け出す必要がある。例えば、より多くの延伸機能を生み出し、適した操作方式に自動的に変更し、応用状況もよりスマートにし、より人間的にする必要がある。よって、家電の制御に用いる入力装置は、スマート型電気製品のブームにおいて、異なる電気製品のコンテンツインフォメーション(content information)とコンテンツ対応制御コマンド(content-dependent control command)を統合し、より多くの延伸機能を持たせる必要がある。本発明は、従来のエレクトリックデバイスを制御するコンテンツ駆動入力装置と方法の上記した欠点に鑑みてなされたものである。
【発明の概要】
【発明が解決しようとする課題】
【０００８】
本発明が解決しようとする課題は、エレクトリックデバイスを制御するコンテンツ駆動入力装置と方法を提供することである。
【課題を解決するための手段】
【０００９】
上記課題を解決するため、本発明は下記のエレクトリックデバイスを制御するコンテンツ駆動入力装置と方法を提供する。
エレクトリックデバイスを制御するコンテンツ駆動入力装置において、入力装置は、入力ユニット、通信モジュール、処理部品、表示部品を備え、
初期化段階で、該入力装置は、該通信モジュールを通して、一或いは多数の被制御エレクトリックデバイスの各１個の被制御エレクトリックデバイスの一或いは多数の付属制御コマンドを受け取り、整理/統合を行い、
該通信モジュールは、一或いは多数の被制御エレクトリックデバイスの１個の被制御エレクトリックデバイスが伝送するコンテンツインフォメーションを受け取り、
該処理部品は、該コンテンツインフォメーションを解析し、該コンテンツインフォメーションのタイプ、執行を希望する制御コマンド、対応する必要がある被制御エレクトリックデバイス、ユーザーはどのように操作するかの判断を含み、
該処理部品は、該コンテンツインフォメーションを解析し、該入力ユニット内に含む一或いは多数の入力部品の形態を確認後、対応するユーザーインターフェース、及び対応する操作方式を決定し、表示ユニット上に表示し、ユーザーが、該一或いは多数の入力部品形態に対して、該操作方式に基づき、該コンテンツインフォメーションが対応する一或いは多数の制御コマンドのオプションを選択、あるいは執行後、該処理部品は、該コンテンツインフォメーションが対応する一或いは多数の制御コマンドに基づき、該通信モジュールを通して、対応するよう指定された被制御エレクトリックデバイスに対して、一或いは多数の対応する制御メッセージを発信し、該対応するよう指定された被制御エレクトリックデバイスの各被制御エレクトリックデバイスに、該一或いは多数の対応する制御メッセージに基づき、対応する動作を行うよう要求し、
エレクトリックデバイスを制御するコンテンツ駆動入力方法は、初期段階を含み、
該初期段階において、コンテンツ駆動入力装置は、初期化の操作を行い、一或いは多数の被制御エレクトリックデバイスの各被制御エレクトリックデバイスの一或いは多数の付属制御コマンドを取得し、
該コンテンツ駆動入力装置が、該一或いは多数の被制御エレクトリックデバイスの内の１個の被制御エレクトリックデバイスが伝送するコンテンツインフォメーションを受け取ると、制御段階に進み、該コンテンツインフォメーションを解析し、対応するユーザーインターフェースを提供し、
該コンテンツインフォメーションが対応する一或いは多数の制御コマンドのオプションを、ユーザーが選択、或いは執行後、該一或いは多数の被制御エレクトリックデバイス中の対応させる必要がある被制御エレクトリックデバイスに対して、一或いは多数の対応する制御メッセージを発信する。  
【発明の効果】
【００１０】
本発明のエレクトリックデバイスを制御するコンテンツ駆動入力装置と方法は、コンテンツインフォメーションにより派生するコンテンツインフォメーションが対応する制御コマンドの制御エレクトリックデバイスのコンテンツ駆動入力技術を提供する。
それは、コンテンツ駆動入力装置により、先ず、一或いは多数の被制御エレクトリックデバイスの各被制御エレクトリックデバイスの付属制御コマンドを取得し、１個の被制御エレクトリックデバイスが伝送するコンテンツインフォメーションに基づき、及びこのコンテンツインフォメーションを解析後、対応するユーザーインターフェース、操作方式、制御コマンド、及び対応する必要がある被制御エレクトリックデバイスを決定する。
並びに、ユーザーが、コンテンツインフォメーションが対応する一或いは多数の制御コマンドのオプションを操作後、対応する必要がある被制御エレクトリックデバイスに対して、一或いは多数の対応する制御メッセージを発出する。
このコンテンツインフォメーションをガイドとする入力技術は、リモコンメーカー(URC、Logitechなど)、家電メーカー(AmTRAN、SONY、Panasonic、LGなど)、コンテンツインフォメーションプロバイダー(Google、Yahoo、Microsoftなど)などに応用することができる。
【図面の簡単な説明】
【００１１】
【図１】インタラクティブエレクトリックデバイス制御の実施例模式図である。
【図２】入力装置が家電を制御する実施例模式図で、それが掲示するある実施例と一致する。
【図３】入力装置の内部部品の実施例模式図で、それが掲示するある実施例と一致する。
【図４】エレクトリックデバイスを制御するコンテンツ駆動入力装置の作動状況の実施例模式図で、それが掲示するある実施例と一致する。
【図５】初期化の段階を説明する実施例模式図で、すべての被制御エレクトリックデバイスは、その付属制御コマンド集を、コンテンツ駆動入力装置に伝送する。
【図６】エレクトリックデバイスがリモコン入力部品に伝送するマークアップ言語フォーマットを説明する実施例模式図で、それが掲示するある実施例と一致する。
【図７】エレクトリックデバイスがリモコン入力部品に伝送するマークアップ言語フォーマットを説明する実施例模式図で、それが掲示するある実施例と一致する。
【図８】被制御装置が伝送するコンテンツインフォメーションのフォーマット実施例模式図で、それが掲示するある実施例と一致する。
【図９】コンテンツ駆動入力装置が、受け取ったコンテンツインフォメーションに基づき、対応するユーザーインターフェースを提供することを説明する実施例模式で、それが掲示するある実施例と一致する。
【図１０】テレビのコンテンツインフォメーションに基づき、図５に示す動作を決定し、発信するコンテンツインフォメーションが対応する制御コマンドの実施例模式図で、それが掲示するある実施例と一致する。
【図１１】コンテンツインフォメーションから他の関連するコンテンツインフォメーション、或いはサービスにリンクし、延伸機能を発生する実施例模式図で、それが掲示するある実施例と一致する。
【図１２】コンテンツ駆動入力装置の作動プロセスを説明するフローチャートで、それが掲示するある実施例と一致する。
【図１３】制御段階の実施例模式で、それが掲示するある実施例と一致する。
【発明を実施するための形態】
【００１２】
以下に図面を参照しながら本発明を実施するための最良の形態について詳細に説明する。
【００１３】
図２の実施例に示すように、本発明エレクトリックデバイスを制御するコンテンツ駆動入力装置において、入力装置２００は、デジタルセットトップボックス、DVD(digital video disc)プレーヤー、デジタルピクチャーフレーム、音響装置、パーソナルコンピューター、テレビ、他の情報家電などの被制御装置から、送られて来るコンテンツインフォメーション及びコンテンツインフォメーションが対応する照明制御、空調制御などの制御コマンドに基づき、一或いは多数の電気製品に対して操作を行う。これにより、ホームデジタルは、被制御装置のコンテンツインフォメーションの違いに応じて、適した操作方式に自動的に変更する。こうして、使用者に、よりスマートなエレクトリックデバイス機能を提供する。或いは、使用者は、特定の電器製品に対して、インターネット上から、予め定義された制御コマンドをダウンロードする。図２に示す入力装置２００の外観は、多種の設計の内の一実施例に過ぎない。
【００１４】
例えば、ユーザーが、テレビを観ている時、テレビの付属制御コマンド(チャンネル変更、或いは音量調整など)の他に、テレビが放映するコンテンツに対して可能な制御コマンドを付加する。例えば、放映コンテンツの形態が映画であるなら、再生、一時停止、早送りなどの映画の制御機能を付加することができる。さらに進んだ応用では、コンテンツの状況に基づき、例えば、スリラー映画なら、テレビは、放映するコンテンツに基づき入力装置(リモコン装置など)に、これから放映するのはスリラー映画であると告げる。すると、消費者は、家庭内のインテリアをスリラー映画の雰囲気にするかどうかを、決めることができ、これによりリモコン装置により、照明を暗くし、カーテンを閉め、音響装置の音を大きくし、クーラーの温度を下げるなど、各電器製品を操作することができる。こうして、消費者のホームデジタルは、操作がより容易になるだけでなく、応用シーンまでもスマートとし、より人間的とすることができる。
【００１５】
エレクトリックデバイスは、それそのものの操作機能の他、もう一つの特色は、それそのもののコンテンツインフォメーションにある。コンテンツインフォメーションはしばしば、非常に価値がある部分である。例えば、テレビでは、オン/オフ、音量調整、チャンネル選択の他に、ユーザーにとっては、テレビが現在放映している番組、ビデオ情報などテレビが含むコンテンツインフォメーションが最も重要な機能である。さらに例えば、音響装置であれば、現在再生している歌曲の名称、作詞者、作曲者、或いは歌手などのコンテンツインフォメーションが最も重要な機能である。
【００１６】
コンテンツインフォメーションを考慮したスマートホームでは、コンテンツインフォメーションに対して統合を行うことができる。ラジオを例とすれば、インターネットを通して、各番組情報を事前に録音、或いは知ることができるが、さらに多くのことを行うことができる。例えば、その番組が放送する音楽に合わせ、自分の家のインテリアを音楽内容にぴったりの雰囲気にすることができ、またコンピューター上に該音楽の詳細情報などを掲示することができる。すなわち、コンテンツインフォメーションによるガイドを主としたスマートホームの応用である。
【００１７】
本実施例が掲示する、エレクトリックデバイスのコンテンツ駆動に用いる入力装置(input apparatus)設計は、被制御装置から伝送されるコンテンツインフォメーションを受け取ることで、このコンテンツを駆動する入力装置のユーザーインターフェース、操作方式、制御コマンド、一或いは多数の被制御エレクトリックデバイス制御を決定する。しかも、ユーザーは、この被制御装置が伝送してきたコンテンツインフォメーションに対して、このコンテンツインフォメーションが対応する一或いは多数の制御コマンドのオプションを、指定の操作方式により選択、或いは執行後、この被制御エレクトリックデバイス中に対して、対応する一或いは多数の被制御エレクトリックデバイス中の対応するよう指定された一或いは多数の被制御エレクトリックデバイスに対して、一或いは多数の対応する制御メッセージを発信する。ユーザーが、上記した動作を正しく執行すると、このコンテンツ駆動入力装置は、この一或いは多数の対応する制御メッセージを、対応を指定された一或いは多数の被制御エレクトリックデバイスに発信する。各関連エレクトリックデバイスはさらに、この一或いは多数の対応する制御メッセージ上の要求に基づき、対応する動作を行う。
【００１８】
図３は、コンテンツ駆動入力装置の内部部品の実施例模式図で、それが掲示するある実施例と一致する。図３に示す実施例において、コンテンツ駆動入力装置３００は、処理部品３３０、入力ユニット３１０、通信モジュール３４０、表示部品３２０を備える。通信モジュール３４０は、処理部品３３０と被制御エレクトリックデバイスとの間の通信ルートとして配置され、被制御エレクトリックデバイスから伝送されるコンテンツインフォメーションを受け取り、処理部品３３０に送り、及び、処理部品３３０が指定する一或いは多数の対応する制御メッセージを、対応を指定された被制御エレクトリックデバイスに発信する。処理部品３３０を配置することで、対応するユーザーインターフェースを決定し、表示部品３２０上に表示する。及び、対応する操作方式は、入力ユニット３１０の入力を受けた後、指定の一或いは多数の対応する制御メッセージを発出する。
【００１９】
図３に示す実施例において、入力ユニット３１０は、ボタン入力(実体ボタンなど)、タッチ入力(タッチパネルなど)、モーションキャプチャー入力(モーションセンサーmotion sensorなど)、映像入力(カメラなど)、音声入力(マイクなど)、他の入力などの形態により、上記した一項或いは多数項の形態の入力部品により組成される。コンテンツ駆動入力装置３００はさらに、メモリ３５０を備える。メモリ３５０は、処理部品３３０が整理/統合後の一或いは多数のエレクトリックデバイスの付属制御コマンドなどを保存する。
【００２０】
図４は、エレクトリックデバイスを制御するコンテンツ駆動入力装置の作動状況の実施例模式図で、それが掲示するある実施例と一致する。図４に示す実施例において、エレクトリックデバイスを制御するコンテンツ駆動入力装置３００は、表示部品３２０、入力ユニット３１０、処理部品３３０、通信モジュール３４０を備える。最初、コンテンツ駆動入力装置３００は先ず、初期化動作を行う。被制御エレクトリックデバイス1〜被制御エレクトリックデバイスnなどの、n個の被制御エレクトリックデバイスの、各被制御エレクトリックデバイスjは、1≦j≦nである。その付属制御コマンド集jを、通信モジュール３４０を通して、コンテンツ駆動入力装置３００に伝送する。各付属制御コマンド集jは、一或いは多数の付属制御コマンドを含む。例えば、電灯、テレビなどのエレクトリックデバイスは、マークアップ言語フォーマットを用い、自己のどれかの付属制御コマンドを、コンテンツ駆動入力装置３００に伝送する。コンテンツ駆動入力装置３００は、この応用環境下の一或いは多数の被制御エレクトリックデバイスの各被制御エレクトリックデバイスの付属制御コマンド集を、整理/統合する。続いて、コンテンツ駆動入力装置３００は、その内の任意の被制御エレクトリックデバイスが伝送するコンテンツインフォメーションの受け取りを待つ。
【００２１】
一旦、通信モジュール３４０を通して、被制御エレクトリックデバイスj、1≦j≦nが伝送して来たコンテンツインフォメーション４１１aを受け取ると、処理部品３３０により、コンテンツインフォメーション４１１aを解析する。それは、コンテンツインフォメーション４１１aのタイプ、執行を希望する制御コマンド、どの被制御エレクトリックデバイスを対応させる必要があるか、ユーザーはどのように操作するかなどの判断を含む。処理部品３３０はコンテンツインフォメーション４４１aを解析後、入力ユニット３１０内に含む入力部品の形態を参考に、対応するユーザーインターフェース、及び対応する操作方式を決定し、表示部品３２０上に表示する。ユーザーは、入力ユニット３１０に対して、この操作方式により、コンテンツインフォメーション４１１aが対応する一或いは多数の制御コマンド４１１bのオプションを選択、或いは執行後、処理部品３３０は、コンテンツインフォメーション４１１aが対応する一或いは多数の制御コマンド４１１bに基づき、通信モジュール３４０を通して、対応を指定された被制御エレクトリックデバイス(エレクトリックデバイス２とエレクトリックデバイスnなど)に対して、対応する制御メッセージ(マーク４３２a、４３２bなど)をそれぞれ発出する。この対応を指定された制御エレクトリックデバイスの各被制御エレクトリックデバイスは、さらに、この対応する制御メッセージの要求に基づき、対応する動作を行う。
【００２２】
被制御エレクトリックデバイスjは、伝送コンテンツインフォメーションの主要被制御装置(host appliance)で、コンテンツインフォメーション４１１aが対応する一或いは多数の制御コマンド４１１bは、主要被制御装置と一或いは多数の付属被制御装置(sub appliance)が伝送する付属制御コマンドにより組成される。つまり、通信モジュール３４０は、処理部品３３０と、主要被制御装置、及び一或いは多数の付属被制御装置との間の通信ルートともなる。これにより、主要被制御装置とこの一或いは多数の付属被制御装置が伝送してくるコンテンツインフォメーションと付属制御コマンドを、処理部品３３０に渡す。処理部品３３０が指定する一或いは多数のコンテンツインフォメーションが対応する制御コマンドを、コンテンツインフォメーション制御メッセージに転換し、この対応を指定された被制御エレクトリックデバイスに発信する。処理部品３３０が決定したユーザーの操作方式は、処理部品３３０が受け取ったコンテンツインフォメーション、及びこのコンテンツインフォメーションを解析後に指定する一或いは多数の対応する制御メッセージ、及び入力ユニット３１０内に含む入力部品形態、しかも表示部品３２０自身の設計に基づき、決定される。
【００２３】
処理部品３３０は、コンテンツインフォメーション、コンテンツインフォメーションが対応する一或いは多数の制御コマンド、及び指定する一或いは多数の対応する制御メッセージと操作方式を解析し、しかも表示部品３２０上のユーザーインターフェース上に表示する。これにより、被制御エレクトリックデバイスに対して、コンテンツインフォメーションが対応する一或いは多数の制御コマンドの操作を、どのようにして行うかを、ユーザーに指示/告知する。通信モジュール３４０は、Ethernet（登録商標）、Wi-Fi、RF、Irda、Bluetooth（登録商標）、Zigbee（登録商標）などの任意の有線、或いは無線通信機能を備えるモジュールである。
【００２４】
図５は、初期化の段階を説明する実施例模式図で、電灯、テレビ、クーラー、冷蔵庫、ラジオ、音響装置(acoustic)などのすべてのエレクトリックデバイスは、先ず、その付属制御コマンド集を、コンテンツ駆動入力装置３００中の処理部品３３０に伝送し、処理部品３３０により整理を行う。図６、７は、電灯とテレビなどの被制御エレクトリックデバイスが、コンテンツ駆動入力装置３００に伝送するマークアップ言語フォーマットを説明する実施例模式図である。図６のマークアップ言語の実施例は、オン、オフ、暗くする(turn darker)、明るくする(turn lighter)を含む電灯の付属制御コマンド集を説明する。
図７のマークアップ言語の実施例は、オン(turn on)、オフ(turn off)、音を大きくする(volume up)、音を小さくする(volume down)、一つ先のチャンネルに変える(channel up)、一つ後のチャンネルに変える(channel down)、プレイ(play)、停止(stop)、一時停止(pause)を含むテレビの付属制御コマンド集を説明する。
【００２５】
図８は、主要被制御装置が伝送するコンテンツインフォメーションのフォーマット実施例模式図で、それが掲示するある実施例と一致する。
図８に示すコンテンツインフォメーションの実施例７００中には、該コンテンツインフォメーションの名前、タイプ、行いたい動作、該動作を達成するためにはどの付属被制御エレクトリックデバイスを対応させる必要があるか、及びユーザーはどのようにして操作を行うべきか、を含む。この実施例中において、コンテンツインフォメーションの名前は「驚かす(Scaring You)」、コンテンツインフォメーションのタイプは「スリラー(Thriller)」、行いたいコンテンツインフォメーションが対応する制御コマンドは「シーン変更(Scenario Change)」、該動作を達成するため対応させる被制御エレクトリックデバイスは、電灯(Light)、空調(Air Condition)、音響装置、窓(Window)で、ユーザーが行うべき操作の方式は、「激しく動かす(User fling)」である。
【００２６】
本実施例のコンテンツインフォメーションは、図８に示すコンテンツインフォメーションの例に限定するものではない。本実施例が示すコンテンツインフォメーションは、各コンテンツプロバイダー(番組業者など)、或いはサービスプロバイダー(テレビ局など)が提供する関連インフォメーション、或いは第三者が異なる形態のコンテンツに対して書き込んだプラグイン(plug-in)インフォメーション、或いはメタデータ(metadata)とすることができる。例えば、テレビチャンネルに対して設計されたテレビ番組ガイド(Electronic Program Guide、EPG)、或いはある特定のビデオ中の異なる部分に対して制作された異なるシーン、インタラクティブ方式(アンケート調査など)、或いは特別なコンテンツインフォメーションが対応する制御コマンドで、またユーザーは、スマートエレクトリックデバイス中に応用するか否かを自ら決定することができる。
【００２７】
ユーザーは、コンテンツ駆動入力装置３００上において、これらコンテンツインフォメーションのメッセージを見ることができ、しかも提案に従い、シーンを変更するかを決定することができる。例えば、図９の実施例に示すように、コンテンツ駆動入力装置３００中の処理部品３３０は、受け取ったコンテンツインフォメーションに基づき、対応するユーザーインターフェース８００を提供する。このユーザーインターフェース８００中では、ユーザーに、「部屋のインテリアをスリラー映画の雰囲気に変えるかどうか」を尋ねることができる。ユーザーが、提案に従ったシーン変更を決定したなら、ユーザーインターフェース８００の質問中において、「Yes」を選択し、続いてユーザーインターフェース８００が提示する制御コマンドに従い操作を行う。
【００２８】
コンテンツ駆動入力装置３００は、コンテンツインフォメーションが対応する一或いは多数の制御コマンドを、制御メッセージに転換し、各被制御エレクトリックデバイスに伝送して知らせる。コンテンツ駆動入力装置３００は、初期化の段階で、既に、すべての被制御エレクトリックデバイスの付属制御コマンド集を整理/統合しているため、応用環境中に操作ウインドウのシステムがないことを知っている。そのため、ウインドウに対する操作をとばす。他の各被制御エレクトリックデバイスが受け取った対応する制御メッセージは、さらに進んだ処理を行う必要があるかどうかを自ら判断する。もし必要であれば、前記のコンテンツインフォメーションが対応する制御コマンドに基づき、動作を執行する。
【００２９】
図１０は、ユーザーが図９中の「Yes」を選択後、発信するコンテンツインフォメーションが対応する制御コマンドの実施例模式図で、それが掲示するある実施例と一致する。  図１０中で発信するコンテンツインフォメーションが対応する一或いは多数の制御コマンドは、(照明を)暗く調整、(クーラーの)温度低下、(音響装置の)音量拡大を含む。これら制御コマンドは、XMLフォーマットなどを採用して処理される。コンテンツ駆動入力装置３００中の処理部品３３０はさらに、該XMLコンテンツに基づき、各被制御エレクトリックデバイスの制御操作を行う。各種組込み式装置の演算能力の向上に従い、コンテンツインフォメーションが対応する制御コマンドも、各入力装置が自ら演算してこれを決定する。例えば、携帯電話端末を入力装置とし、初期化の後は、テレビから送られてくるコンテンツインフォメーションを受け取ると、どの家電を制御すべきかを、自ら演算し決定し、並びにコンテンツインフォメーションが対応する制御コマンドを決定し、各被制御家電に対応する制御メッセージを発信する。図１０中で発信するコンテンツインフォメーションが対応する制御メッセージは、XMLフォーマット処理を採用しなくても良く、コンテンツ駆動入力装置３００中の処理部品３３０により、通信モジュール３４０を通して、各被制御エレクトリックデバイスに、対応する制御メッセージを発信しても良い。この制御メッセージは、コンテンツインフォメーションが対応する制御コマンドを含むことができる。
【００３０】
図１１は、コンテンツインフォメーションから他の関連するコンテンツインフォメーション、或いはサービスにリンクし、延伸機能を発生する実施例模式図で、それが掲示するある実施例と一致する。図１１に示す実施例中では、主要被制御装置(テレビ１０１０など)が伝送するコンテンツインフォメーション(ニュース報道など)は、インターネット１０３０などを通して、他の関連するコンテンツインフォメーション或いはコンテンツサービス１０２０にリンクする。ユーザーは、携帯電話端末１０４０を、コンテンツ駆動入力装置とし、初期化の後、テレビ１０１０から発信されるコンテンツインフォメーション１０５０(ニュースコンテンツ、行おうとする投票動作、タッチ式操作方式を含む)を受け取った後、ユーザーは、表示部品上に現れるテレビ１０１０が伝送するニュースコンテンツとそれがリンクするコンテンツインフォメーション或いはコンテンツサービス１０２０、及びコンテンツインフォメーションが対応する制御コマンド(投票)に基づき、オンライン投票を行い、賛成(OK)、或いは反対(Not Good)などを選択して反応することができる。
【００３１】
上記したように、本発明が掲示するコンテンツ駆動入力装置は、受け取ったコンテンツインフォメーションに基づき、コンテンツ駆動入力装置３００上の入力ユニット３１０内に含む入力部品の形態(タッチパネル、モーションセンサー、マイク、実体ボタンなど)を参考に、異なる操作方式を提供し、操作方式をより直感的とし、しかも多数項目の操作を行えるようにし、異なる被制御エレクトリックデバイスを統合し、より多くのシーンへの応用を擁することができる。さらに、コンテンツインフォメーション他の関連のコンテンツインフォメーション或いはコンテンツサービスとリンクし、より多くの延伸機能を生じることができる。このコンテンツ駆動入力装置は、多数の被制御エレクトリックデバイスを同時に制御でき、受け取ったコンテンツインフォメーションのニーズに応えることができる。
【００３２】
図１２は、本発明コンテンツ駆動入力装置の作動プロセスを説明するフローチャートである。図１２に示す作動プロセスは、初期段階と制御段階を含む。初期段階において、コンテンツ駆動入力装置は先ず、初期化の動作を行い、一或いは多数の被制御エレクトリックデバイスの各被制御エレクトリックデバイスの一或いは多数の付属制御コマンドを取得する(ステップ１１０参照)。次に、その内の１個の被制御エレクトリックデバイスが伝送するコンテンツインフォメーションの受信を待つ。このコンテンツ駆動入力装置が、この一或いは多数の被制御エレクトリックデバイスの内の１個の被制御エレクトリックデバイスが伝送するコンテンツインフォメーションを受け取ると、制御段階に進み、このコンテンツインフォメーションを解析し、対応するユーザーインターフェースを提供する(ステップ１１２０参照)。続いて、このコンテンツインフォメーションが対応する制御コマンドを、ユーザーが選択、或いは執行するのを待つ。ユーザーが、このコンテンツインフォメーションが対応する一或いは多数の制御コマンドのオプションを選択した後、この一或いは多数のエレクトリックデバイス中の対応する必要がある被制御エレクトリックデバイスに対して、一或いは多数の対応する制御メッセージを発信する(ステップ１１３０参照)。この対応する必要がある被制御エレクトリックデバイスの各被制御エレクトリックデバイスはさらに、この一或いは多数の対応する制御メッセージ上の要求に基づき、上記したように、対応する動作を行う。
【００３３】
図１２に示す作動プロセスにおいて、上記したように、コンテンツ駆動入力装置が受信したエレクトリックデバイスが伝送するコンテンツインフォメーションは、主要被制御装置が伝送するコンテンツインフォメーションである。このコンテンツインフォメーションが対応する一或いは多数の制御コマンドは、該主要被制御装置と、一或いは多数の付属被制御装置が伝送する付属制御コマンドにより組成する。制御段階では、通信モジュールを通して、この主要被制御装置と、この一或いは多数の付属被制御装置が伝送するコンテンツインフォメーション及び付属制御コマンドを受け取り、該コンテンツ駆動入力装置に渡し、及び対応する必要がある被制御エレクトリックデバイスに対して、この一或いは多数の対応する制御メッセージを発信する。
【００３４】
図１３は、制御段階の実施例模式で、それが掲示するある実施例と一致する。図１３に示す実施例中では、仮に、エレクトリックデバイス(スマート型テレビ１２１０など)が、「ダヴィンチ・コード(The Da Vinci Code)」という名称の映画(Movie)１２０２を放映しているとする。制御段階において、コンテンツ駆動入力装置(携帯電話端末１２００など)が、スマート型テレビ１２１０が伝送する、「コンテンツ：映画(Movie)/ ダヴィンチ・コード(The Da Vinci Code)」１２０４などのコンテンツインフォメーションを受け取ると、携帯電話端末１２００は、このコンテンツインフォメーション(Movie/The Da Vinci Code)を解析後、対応する必要がある、デジタルピクチャーフレーム(Digital Picture Frame)１２２０及び一体成型コンピューター(All in one、AIO)１２３０などの被制御エレクトリックデバイスに対して、対応する制御メッセージをそれぞれ伝送する。
この実施例において、この対応する制御メッセージは、コンテンツインフォメーションが対応する制御コマンドを含む。初期段階で、携帯電話端末１２００は既に、デジタルピクチャーフレーム１２２０が画像表示(show picture)の機能を持ち、一体成型コンピューター１２３０がサーチ(search)及び映像表示(image display)の機能を持つことを知っている。そのため、デジタルピクチャーフレーム１２２０は、「表示(show)」のコンテンツインフォメーションが対応する制御コマンドに基づき、映画「ダヴィンチ・コード(The Da Vinci Code)」の画像１２２２を表示し、一体成型コンピューター１２３０は、「サーチ(search)」のコンテンツインフォメーションが対応する制御コマンドに基づき、キーワード“ダヴィンチ・コード”をサーチし、その映像１２３２を表示する。
【００３５】
上記したように、本発明が掲示する実施例は、コンテンツインフォメーションにより派生するコンテンツインフォメーションが対応する制御コマンドの制御エレクトリックデバイスのコンテンツ駆動入力技術を提供する。それは、コンテンツ駆動入力装置により、先ず、一或いは多数の被制御エレクトリックデバイスの各被制御エレクトリックデバイスの付属制御コマンドを取得し、１個の被制御エレクトリックデバイスが伝送するコンテンツインフォメーションに基づき、及びこのコンテンツインフォメーションを解析後、対応するユーザーインターフェース、操作方式、制御コマンド、及び対応する必要がある被制御エレクトリックデバイスを決定する。並びに、ユーザーが、コンテンツインフォメーションが対応する一或いは多数の制御コマンドのオプションを操作後、対応する必要がある被制御エレクトリックデバイスに対して、一或いは多数の対応する制御メッセージを発出する。このコンテンツインフォメーションをガイドとする入力技術は、リモコンメーカー(URC、Logitechなど)、家電メーカー(AmTRAN、SONY、Panasonic、LGなど)、コンテンツインフォメーションプロバイダー(Google、Yahoo、Microsoftなど)などに応用することができる。
【００３６】
上記の本発明名称と内容は、本発明技術内容の説明に用いたのみで、本発明を限定するものではない。本発明の精神に基づく等価応用或いは部品（構造）の転換、置換、数量の増減はすべて、本発明の保護範囲に含むものとする。
【産業上の利用可能性】
【００３７】
本発明は特許の要件である新規性を備え、従来の同類製品に比べ十分な進歩を有し、実用性が高く、社会のニーズに合致しており、産業上の利用価値は非常に大きい。
【符号の説明】
【００３８】
１００  制御装置
１０２  マスターデバイス
１０４  表示装置
１１０  周辺装置
２００  入力装置
３００  コンテンツ駆動入力装置
３１０  入力ユニット
３２０  表示部品
３３０  処理部品
３４０  通信モジュール
３５０  メモリ
４１１ａ  コンテンツインフォメーション
４１１ｂ  対応する一或いは多数の制御コマンド
４３２ａ、４３２ｂ  対応する制御メッセージ
７００    コンテンツインフォメーションの実施例
８００    ユーザーインターフェース
１０１０  テレビ
１０２０  他の関連するコンテンツインフォメーション或いはコンテンツサービス
１０３０  インターネット
１０４０  携帯電話端末
１０５０  コンテンツインフォメーション
１１１０  一或いは多数の被制御エレクトリックデバイスの各被制御エレクトリックデバイスの一或いは多数の付属制御コマンドを得る
１１２０  このコンテンツインフォメーションを解析し、対応するユーザーインターフェースを提供する
１１３０  対応する必要がある一或いは多数の被制御エレクトリックデバイスに対して、一或いは多数の対応する制御メッセージを発信する
１２００  携帯電話端末
１２１０  スマート型テレビ
１２２０  デジタルピクチャーフレーム
１２２２  映画「ダヴィンチ・コード」の画像
１２３０  一体成型コンピューター
１２３２  「ダヴィンチ・コード」の映像
１２０２  「ダヴィンチ・コード」という名称の映画
１２０４  コンテンツ：映画/ダヴィンチ・コード
【図１】
0005520916.tif 000002
【図２】
0005520916.tif 000003
【図３】
0005520916.tif 000004
【図４】
0005520916.tif 000005
【図５】
0005520916.tif 000006
【図６】
0005520916.tif 000007
【図７】
0005520916.tif 000008
【図８】
0005520916.tif 000009
【図９】
0005520916.tif 000010
【図１０】
0005520916.tif 000011
【図１１】
0005520916.tif 000012
【図１２】
0005520916.tif 000013
【図１３】
0005520916.tif 000014